(57)【要約】      （修正有）【課題】美容室でのシャンプー・トリートメント施術時の時間内において、顧客が制約された姿勢を無理なく維持しつつ、リラックス感を感得するために必要なアメニティ性に優れた抱き枕を提供する。【解決手段】楕円の変形枕であって、当該変形枕の変形前の楕円原形の長辺において、長軸（ａ）１に対して短軸（ｂ）を一定比率で連続的に変化させた軌跡で形成される曲線部分を含む立体形状で構成される美容サロン専用の抱き枕であって、変形枕の変形前の楕円原形の一方の長辺において、長軸（ａ）１に対し、短軸（ｂ）０．５乃至０．８の比率で連続的に湾曲する曲線部分を含み、かつ、同じく他の一方の長辺において、長軸（ａ）１に対し、短軸（ｂ）０．６乃至０．８の比率で連続的に湾曲する曲線部分を含む。【選択図】図２
0003230083.tif 000002
【実用新案登録請求の範囲】
【請求項１】
楕円の変形枕であって、当該楕円原形の長辺において、腕のフィット感が良好となる曲線部分を含む立体形状で構成される美容サロン専用の抱き枕。
【請求項２】
楕円原形の一方の長辺において、長軸（ａ）１に対し、短軸（ｂ）０．５乃至０．８の比率で連続的に湾曲する曲線部分を含み、かつ、
同じく他の一方の長辺において、長軸（ａ）１に対し、短軸（ｂ）０．６乃至０．８の比率で連続的に湾曲する曲線部分を含むことを特徴とする請求項１に記載の美容サロン専用抱き枕。
【請求項３】
充填材として、ポリエステル綿で構成される素材を内包したことを特徴とする請求項１乃至２に記載の美容サロン専用抱き枕。
【考案の詳細な説明】
【技術分野】
【０００１】
本考案は、美容サロン専用に適した機能性・アメニティを追求した抱き枕である。さらに詳細には、楕円の変形枕であって、当該楕円原形の長辺において、腕のフィット感が良好となる曲線部分を含む立体形状で構成される美容サロン専用の抱き枕に関するものである。
【背景技術】
【０００２】
従来から、様々な形状・用途の抱き枕が知られている。
一般的に、抱き枕は、布を縫製して袋状とし、その内部にはパンヤやスポンジ、そば殻等が充填されるが、用途に併せて素材が選択され充填される。例えば、夏用の抱き枕を使用する場合と冬期に使用する場合とでは、保温性や吸水能の要求水準の相違から、自ずと最適素材が変わる。
【０００３】
横臥時の横向きの姿勢での安定感を保持する場合、綿や発泡ウレタン等の弾力性のある素材で形成されることが多い。
【０００４】
また、全体形状も円筒形、楕円形、幼児の人気に合わせた動物形、ぬいぐるみタイプ等、のさまざまな形状のものが開発されている。
【０００５】
これらの用途に関して言えば、睡眠時や日常の生活においてリビングでくつろぐときの使用が一般的であり、自由な抱き方と体勢・時間の枠組みで任意の使用ができ、専ら自分の意志にゆだねられているため何ら制約がない。
【０００６】
したがって、上記用途との関係においては、季節性が求める機能との適合性を除けば、抱き枕の形状と内部の素材・弾力性との適合性は、優先されるべき重要なファクターではない。
【０００７】
一方、美容サロンにおいては、顧客が一定の姿勢でサービスを受ける場面が多くあり、従来はリラクゼーション用として一般家庭で使用されるクッションや抱き枕を使用するケースもあったが、腕の使い方や抱く位置によって長時間安定な姿勢の維持が難しく、かえって苦痛を与えることがあった。特に、シャンプー・トリートメント施術時において、フィット感とリラックス感を感得するために必要な抱き枕の提供が美容顧客から求められていた。
【０００８】
この点、開発に求められる点で特に重要な課題は、抱き枕の形状と内部の素材・弾力性との適合性（バランス）である。
【０００９】
例えば、特許文献１には、楕円形或いは船形の抱き枕が提案されている。用途も多機能にわたり、乳幼児の授乳、就寝時や夜泣き時などに、保育者が胴部に装着して乳幼児を支える台として使用ができ、更に、成人においては、通常の抱き枕として使用できるほか、使用の場面に応じて形状を多様に変化させることが出来るので、例えば、座り布団、背中に当てて背中を伸ばすクッションとして、或いは腹部前方にクッション体が突出するように装着することにより、書籍、ゲーム機等の支持台としても使用可能であることが開示されている。
【００１０】
しかしながら、当該特許文献１によれば、抱き枕に内包させる充填物としては、吸汗作用を有する吸湿性の中綿、ポリエステル 等の綿状の繊維物質、ポリスチレン等の発泡ビーズ類、パイプ類、ウレタンフォーム類、その他の柔軟な合成樹脂充填物が使用されるところ、日常的な広範な用途を目的とするために、充填物素材の選択が煩雑であり、結果的には弾力バランスも中途半端となり、固定安定性を欠くものとなる。よって、美容サロンでの使用には向かない。
【００１１】
そこで出願人は、以上の問題点に鑑み、鋭意、形状と内部の素材・弾力性との適合性（バランス）の良い美容サロン用抱き枕の開発に着手し、本考案を完成するに至った。
【先行技術文献】
【特許文献】
【００１２】
【特許文献１】実用新案登録第３１３９７９１号公報
【考案の概要】
【考案が解決しようとする課題】
【００１３】
本考案は、上記の問題点に鑑みて提案されたものであって、美容室でのシャンプー・トリートメント施術時の時間内において、顧客が制約された姿勢を無理なく維持しつつ、リラックス感を感得するために必要なアメニティ性に優れた抱き枕を提供することを主たる目的とするものである。
【課題を解決するための手段】
【００１４】
上記課題解決のため、種々検討した結果、楕円形を変形した立体形状を構成し、かつ、充填材としてポリエステル綿を使用することによってその目的を達成し、所望の効果を発揮できる本考案を完成するに至った。
【００１５】
すなわち、本考案によれば、楕円原形の長辺において、腕のフィット感が良好となる曲線部分を含む立体形状で構成される美容サロン専用の抱き枕が提供される。
【００１６】
ここで、上記本考案の抱き枕における楕円長辺部の変形ラインについては、楕円原形の一方の長辺において、長軸（ａ）１に対し、短軸（ｂ）０．５乃至０．８の比率で連続的に湾曲させた曲線部分を含み、かつ、同じく他の一方の長辺において、長軸（ａ）１に対し、短軸（ｂ）０．６乃至０．８の比率で連続的に湾曲させた曲線部分を含んで構成することが、もっとも好適な構成態様である。
【００１７】
このような変形処理をすることで、第一に、縦方向の使用であれば、顧客上腕部の上質のフィット感と安心感が得られ、充填材とのコンビネーションによって適度なふんわりとした弾力性を自然に感得できる。
また、第二に、使用の方向性も縦横自由であるが、長辺部分のくぼみがあるので、顧客のどのような体勢、体系にも違和感なく融和する特徴を有する。例えば横向きであれば、長辺の変形度合いが大きい部分を腹部に当て、両腕自由な形で乗せることで、心地よさを体感できる。このようなことから、単なる楕円形ではなく、一定の変形、特に長辺ラインの加工処理が使用上の大きな意味を持つ。
【００１８】
充填材としては、反発と復元性の点からポリエステル綿を内包することが最も好適である。ポリエステル綿とは、ポリエステル繊維を綿に加工したものであり、別名は化繊綿とも称されるものである。その特徴は、弾力性が高く吸水性もないことから衛生的であり、他素材との併用も不要であることから、美容サロン用の抱き枕の充填材として最適である。この点、充填材がビーズであれば弾力感が得られず、化学繊維の中でも例えば、ポリウレタン性はソフト感を欠くうえ、繰り返して使用するうちに復元性が漸減し、所望のアメニティ性が維持できない。綿素材は、汗などの吸水能があるため、衛生上の問題が多い。昨今の新型コロナウィルス等のパンデミック発生時においては、顧客の使用敬遠にもつながりかねないことから、特に抗菌特性等をも加味した顧客への配慮は素材の選択・利用において必須である。
【００１９】
本考案の抱き枕は、その表面自体もポリエステル起毛で構成されるので、手触り感と抱き抱えたときのふんわり感が一層のリラクゼーションを演出するものである。美容師にとっては、顧客が安心感を抱く中で、ヘッドスパ、ヘアケアの施術ができるため、顧客へのサービス感向上を図ることが可能である。加えて、表面は洗濯可能なカバーと一体化しているため、顧客毎に取替えが可能であり、清潔感と衛生を保持することができる。
【００２０】
本考案の抱き枕においては、表面または充填材に、本考案の目的を損なわない範囲で、抗菌素材の混合もしくはコーティングを施すことも任意である。  
【考案の効果】
【００２１】
本考案によれば、サロン専用に適した機能性・アメニティを追求した抱き枕が提供され、詳細には、楕円の変形枕であって、当該楕円の長辺において、腕のフィット感が良好となる曲線部分を含む立体形状で構成されるサロン専用の抱き枕が提供される。
当該抱き枕は、美容サロン用途に最適な特殊な構造と当該構造に適した素材が採用されたことによって、一般の抱き枕で得ることができないアメニティ性を演出する機能が備わった感応製品である。
本考案の抱き枕において特殊な構造とは、本考案の輪郭に係る楕円原形の一方の長辺において、長軸（ａ）１に対し、短軸（ｂ）０．５乃至０．８の比率で連続的に湾曲させた曲線部分を含み、かつ、同じく他の一方の長辺において、長軸（ａ）１に対し、短軸（ｂ）０．６乃至０．８の比率で連続的に湾曲させた曲線部分を含む構造を意味し、当該形状と本考案の使用目的との関係で最適な充填材としては、ポリエステル綿で構成される素材を採用するものである。
【図面の簡単な説明】
【００２２】
【図１】本考案の抱き枕の一例を示す平面図である。
【図２】本考案の抱き枕の特徴的形状をその原形である楕円形との関係を対比した平面図である。
【図３】本考案の抱き枕における楕円の一方長辺部の変形ラインの設計方法を示した略図である。
【図４】本考案の抱き枕における楕円の他方長辺部の変形ラインの設計方法を示した略図である。
【図５】本考案の抱き枕の厚みを示した略図である。
【考案を実施するための形態】
【００２３】
本考案は、美容サロン専用に適した機能性・アメニティを追求した抱き枕であり、本考案の請求項１によれば、楕円の変形枕であって、当該楕円原形の長辺において、腕のフィット感が良好となる曲線部分を含む立体形状で構成される美容サロン専用の抱き枕が提供される。
【００２４】
前記当該本考案の美容サロン専用抱き枕は、好適には、図１の平面図に示したような特殊な構造で構成されるものである。
本考案の抱き枕における特殊な構造の原形は楕円であり、当該楕円の長軸（ａ）と短軸（ｂ）の比率を連続的に変化させ長辺を変形させた構成をとるものである。
図２は、楕円原形から長辺部をどの程度変形させたかを対比させて例示したものであるが、６は、楕円原形の一方の長辺ラインであり、これに対する変形ラインが１で示した部分である。当該変形ラインは、図３で示したように、長軸（ａ）を１として、短軸（ｂ）を０．５から０．８の比率で連続的に変化させた軌跡を描き構成したものである。
【００２５】
一方、同じように、図２における他の長辺ラインが７であり、これに対して変形したラインが２で示した部分である。当該変形ラインは、図４で示したように、長軸（ａ）を１として、短軸（ｂ）を０．６から０．８の比率で連続的に変化させた軌跡を描き構成したものである。
【００２６】
すなわち、本考案の請求項２によれば、楕円原形の一方の長辺において、長軸（ａ）１に対し、短軸（ｂ）０．５乃至０．８の比率で連続的に湾曲された曲線部分を含み、かつ、他の一方の長辺において、長軸（ａ）１に対し、短軸（ｂ）０．６乃至０．８の比率で連続的に湾曲された曲線部分を含むことを特徴とするサロン専用抱き枕が提供される。
【００２７】
本考案の抱き枕における充填材としては、ポリエステル綿で構成される素材を採択する。前記楕円の変形との関係で、弾力性と復元性、肌触り感等の最適なアメメニティ性を求める美容室専用品として最適素材という評価を得たためである。顧客に対する使用評価（ヘアケア施術時での官能テスト；１００人モニター）においても、８０％の高評価（使用感・フィット感・リラックス感；良いと評価）が得られている。
【００２８】
図５は本考案に係る抱き枕の厚みを示した略図であるが、厚みは全体のサイズに合わせて任意に調整できる。（ｄ）の長さを短くすることで内包する充填材の量が圧縮されるため、弾力性も変化する。弾力性を一定水準に保とうとするならば、充填材の量を減らす調整が必要である。これらの調整は抱き枕のサイズでも影響されることから、使用する顧客の体型等に合わせて何タイプかを適宜制作することが実使用では求められる態様である。（ｃ）の長さ調整も（ｄ）の調整と同じ考え方で適宜行うことが必要であるが、これらの調整によってバリエーションをもった抱き枕の制作が実現できるものである。
【００２９】
美容サロンにおいては、例えばシャンプー中、縦型で使用する場合には、利き腕を湾曲が大きい中央部分（変形ライン１）に据え、もう一方の腕を湾曲が小さい方の中央部分（変形ライン２）に据えて抱くと、フィット感良く適度な弾力性を感じることができる。
横に置いて使用する場合、腹部に変形ライン１を当てて使用するのがスタンダードになるが、上腕分を安定的に固定したい場合には、ライン２を腹部に据え、両手を組んで上部（図１の５）に置くと、その下に位置する両足太ももと挟むことができ、安定した体勢をとることができ、安心感を向上できる。  
【符号の説明】
【００３０】
１  抱き枕の本体輪郭（楕円長辺変形ライン１）
２  抱き枕の本体輪郭（楕円長辺変形ライン２）
３  抱き枕の本体輪郭（楕円短辺原形ライン３）
４  抱き枕の本体輪郭（楕円短辺原形ライン４）
５  抱き枕本体
６  抱き枕の楕円変形前の原形輪郭（楕円長辺原形ライン６）
７  抱き枕の楕円変形前の原形輪郭（楕円長辺原形ライン７）
（ａ）及び（ｃ） 楕円長軸
（ｂ）及び（ｄ） 楕円短軸
【図１】
0003230083.tif 000003
【図２】
0003230083.tif 000004
【図３】
0003230083.tif 000005
【図４】
0003230083.tif 000006
【図５】
0003230083.tif 000007
【手続補正書】
【提出日】令和2年7月24日(2020.7.24)
【手続補正１】
【補正対象書類名】実用新案登録請求の範囲
【補正対象項目名】全文
【補正方法】変更
【補正の内容】
【実用新案登録請求の範囲】
【請求項１】
楕円の変形枕であって、当該楕円原形の長辺において、腕のフィット感が良好となるよう、長軸（ａ）に対して短軸（ｂ）を一定比率で連続的に変化させた軌跡で形成される曲線部分を含む立体形状で構成される美容サロン専用の抱き枕。
【請求項２】
楕円原形の一方の長辺において、長軸（ａ）１に対し、短軸（ｂ）０．５乃至０．８の比率で連続的に湾曲する曲線部分を含み、かつ、
同じく他の一方の長辺において、長軸（ａ）１に対し、短軸（ｂ）０．６乃至０．８の比率で連続的に湾曲する曲線部分を含むことを特徴とする請求項１に記載の美容サロン専用抱き枕。
【請求項３】
充填材として、ポリエステル綿で構成される素材を内包したことを特徴とする請求項１乃至２に記載の美容サロン専用抱き枕。
【手続補正書】
【提出日】令和2年10月21日(2020.10.21)
【手続補正１】
【補正対象書類名】実用新案登録請求の範囲
【補正対象項目名】全文
【補正方法】変更
【補正の内容】
【実用新案登録請求の範囲】
【請求項１】
楕円の変形枕であって、当該変形枕の変形前の楕円原形の長辺において、長軸（ａ）１に対して短軸（ｂ）を一定比率で連続的に変化させた軌跡で形成される曲線部分を含む立体形状で構成される美容サロン専用の抱き枕。
【請求項２】
変形枕の変形前の楕円原形の一方の長辺において、長軸（ａ）１に対し、短軸（ｂ）０．５乃至０．８の比率で連続的に湾曲する曲線部分を含み、かつ、
同じく他の一方の長辺において、長軸（ａ）１に対し、短軸（ｂ）０．６乃至０．８の比率で連続的に湾曲する曲線部分を含むことを特徴とする請求項１に記載の美容サロン専用抱き枕。
【請求項３】
充填材として、ポリエステル綿で構成される素材を内包したことを特徴とする請求項１乃至２に記載の美容サロン専用抱き枕。